(57)【要約】【課題】通信ネットワーク６に接続された分散化電源の全体的なエネルギー変換効率を向上させるエネルギー管理システムを提供する。【解決手段】通信ネットワーク６に接続された分散化電源（ＧＳ１，ＧＳ２，・・・，ＧＳｎ）及び需要家２２を１つの電力系統とみなし、この電力系統内における分散化電源（ＧＳ１，ＧＳ２，・・・，ＧＳｎ）の全体的なエネルギー変換効率が最大となるような発電負荷配分で各発電電力量を制御する。【選択図】      図１
2004222470.tif 000002
【特許請求の範囲】
【請求項１】
電力会社の電力系統内に散在する分散化電源及び需要家とエネルギー管理用サーバとを通信ネットワークを介して接続し、前記分散化電源の各発電電力を管理するエネルギー管理システムであって、
前記エネルギー管理用サーバは、
前記通信ネットワークに接続された分散化電源の各発電電力を計測し制御する発電電力計測手段及び発電電力制御手段と、
前記通信ネットワークに接続された分散化電源及び需要家を１つの電力系統とみなしたとき、当該電力系統内における分散化電源の全体的な効率が最大となるような発電負荷配分で前記分散化電源の各発電電力を制御する最適発電負荷配分制御手段と、
を有することを特徴とするエネルギー管理システム。
【請求項２】
前記最適発電負荷配分制御手段は、前記通信ネットワークに接続された分散化電源及び需要家を１つの電力系統とみなしたとき、前記分散化電源の各々が当該電力系統に対する売電単価を安く維持できる最大出力で発電するよう各分散化電源の発電電力を制御することを特徴とする請求項１に記載のエネルギー管理システム。
【請求項３】
前記最適発電負荷配分制御手段は、前記通信ネットワークに接続された分散化電源及び需要家を１つの電力系統とみなしたとき、当該電力系統での発電量を電力会社の給電指令に従い増加させる場合は、当該電力系統に対する売電単価の安い分散化電源設備から順に出力を増加し、当該電力系統での発電量を電力会社の給電指令に従い減少させる場合は、当該電力系統に対する売電単価の高い分散化電源設備から順に出力を減少させることを特徴とする請求項１に記載のエネルギー管理システム。
【請求項４】
電力会社の電力系統内に散在する分散化電源及び需要家と前記分散化電源に燃料を供給する燃料会社のコンピュータと前記分散化電源のメンテナンスを行うメンテナンス会社のコンピュータとエネルギー管理用サーバとを通信ネットワークを介して接続し、前記分散化電源の各発電電力を管理するエネルギー管理システムであって、
前記エネルギー管理用サーバは、
前記通信ネットワークに接続された分散化電源における各発電電力を計測し制御する発電電力計測手段及び発電電力制御手段と、
前記通信ネットワークに接続された分散化電源及び需要家を１つの電力系統とみなしたとき、当該電力系統内における分散化電源の全体的な効率が最大となるような発電負荷配分で前記分散化電源の各発電電力を制御する最適発電負荷配分制御手段と、
前記通信ネットワークに接続された分散化電源における各発電電力と燃料消費量とメンテナンス費用との関係から、当該分散化電源における発電単価を求める発電単価算出手段と、
を有することを特徴とするエネルギー管理システム。
【請求項５】
前記エネルギー管理用サーバは、
前記燃料会社及び前記メンテナンス会社と当該分散化電源を系統内に持つ電力会社に対し、通信ネットワークに接続された分散化電源を１つの電力系統とみなし、当該電力系統内全体で消費された燃料及びメンテナンスに対する料金及び当該電力系統内全体から前記電力会社に売買電された電力料金を一括して決済する手段を有することを特徴とする請求項４に記載のエネルギー管理システム。
【請求項６】
電力会社の電力系統内に散在する分散化電源及び需要家と通信ネットワークを介して接続し、前記分散化電源の各発電電力を管理するエネルギー管理用サーバであって、
前記通信ネットワークに接続された分散化電源の各発電電力を計測し制御する発電電力計測手段及び発電電力制御手段と、
前記通信ネットワークに接続された分散化電源及び需要家を１つの電力系統とみなしたとき、当該電力系統内における分散化電源の全体的な効率が最大となるような発電負荷配分で前記分散化電源の各発電電力を制御する最適発電負荷配分制御手段と、
を有することを特徴とするエネルギー管理用サーバ。
【請求項７】
前記最適発電負荷配分制御手段は、前記通信ネットワークに接続された分散化電源及び需要家を１つの電力系統とみなしたとき、前記分散化電源の各々が当該電力系統に対する売電単価を安く維持できる最大出力で発電するよう各分散化電源の発電電力を制御することを特徴とする請求項６に記載のエネルギー管理用サーバ。
【請求項８】
前記最適発電負荷配分制御手段は、前記通信ネットワークに接続された分散化電源及び需要家を１つの電力系統とみなしたとき、当該電力系統での発電量を電力会社の給電指令に従い増加させる場合は、当該電力系統に対する売電単価の安い順に分散化電源設備の出力を増加し、減少させる場合は、当該電力系統に対する売電単価の高い順に分散化電源設備の出力を減少させることを特徴とする請求項６に記載のエネルギー管理用サーバ。
【発明の詳細な説明】
【０００１】
【発明の属する技術分野】
本発明は、電力会社の電力系統内に散在する分散化電源を通信ネットワークを介して接続し、これらの分散化電源を１つの電力系統とみなして、分散化電源を管理するエネルギー管理システム及びエネルギー管理用サーバに関する。
【０００２】
【従来の技術】
近年、規制緩和、発電事業の競争促進などの観点から、電力についても自由化の流れが出てきており、この流れに沿ってマイクロガスタービン等の分散化電源から得られた電力を各需要家に供給する際に必要な送電設備、受変電設備などの設備コストを下げるため種々の提案がなされている。
【０００３】
その一例として、例えば特開２００２−２８１６６６号公報には、電力融通システム内のビル等に設置された分散化電源の管理コンピュータ、発電エリアのパソコン装置、管理会社のＷｅｂサーバ装置及び監視制御用計算機を通信網とインターネットで接続することにより、発電地点と電力需要地点とを近づけさせて、送電設備や変電設備などを不要にさせるようなシステムが提案されている。
【０００４】
【特許文献１】
特開２００２−２８１６６６号公報
【０００５】
【発明が解決しようとする課題】
上記のように、発電地点と電力需要地点とを近づけさせるだけでは、送電コストや変電コストが削減できその分の効率化は実現できるものの、各発電機は各々独自の判断で運転されるため、部分負荷運転など効率の悪い状態での運転が避けられず、電力系統全体としてみた場合、エネルギー変換効率の向上の余地があった。
【０００６】
本発明は上記課題に鑑みてなされたもので、電力会社の電力系統内に散在する分散化電源を通信ネットワークを介して接続し、通信ネットワークに接続された分散化電源を１つの電力系統とみなして、当該電力系統内における分散化電源の全体的なエネルギー変換効率が最大となるような発電負荷配分で分散化電源の各発電電力量を制御することで、電力系統全体としてエネルギーの変換効率を向上させることの出来るエネルギー管理システム及びエネルギー管理用サーバの提供を目的とする。
【０００７】
【課題を解決するための手段】
本発明に係るエネルギー管理システムは、電力会社の電力系統内に散在する分散化電源及び需要家とエネルギー管理用サーバとを通信ネットワークを介して接続し、前記分散化電源の各発電電力を管理するエネルギー管理システムであって、前記エネルギー管理用サーバは、前記通信ネットワークに接続された分散化電源の各発電電力を計測し制御する発電電力計測手段及び発電電力制御手段と、前記通信ネットワークに接続された分散化電源及び需要家を１つの電力系統とみなしたとき、当該電力系統内における分散化電源の全体的な効率が最大となるような発電負荷配分で前記分散化電源の各発電電力を制御する最適発電負荷配分制御手段と、を有することを特徴とする特徴とする。
【０００８】
このように、本発明に係るエネルギー管理システムによれば、通信ネットワークに接続された分散化電源及び需要家を１つの電力系統とみなし、この電力系統内における分散化電源の全体的なエネルギー変換効率が最大となるような発電負荷配分で前記分散化電源の各発電電力量を制御するので、電力系統全体としてエネルギーの変換効率を向上させることが出来る。
【０００９】
【発明の実施の形態】
以下、本発明に係るエネルギー管理システムの一実施の形態について図１及び図２を参照して詳細に説明する。
【００１０】
図１は本発明に係るエネルギー管理システムの本実施の形態における構成図である。また図２は、電力会社の電力系統における分散化電源の配置を模式的に示した図である。
【００１１】
図１に示すように、本実施の形態におけるエネルギー管理システムは、エネルギー管理システムの統括者と契約関係にある分散化電源設備（ＧＳ１，ＧＳ２，・・・，ＧＳｎ）の発電量を監視・制御するエネルギー管理用サーバ１、分散化電源設備（ＧＳ１，ＧＳ２，・・・，ＧＳｎ）と需要者２２とでなる仮想電力系統２、仮想電力系統２と接続される電力会社の電力系統３、分散化電源設備（ＧＳ１，ＧＳ２，・・・，ＧＳｎ）に発電用燃料を供給する燃料会社４、分散化電源設備（ＧＳ１，ＧＳ２，・・・，ＧＳｎ）のメンテナンスを行うメンテナンス会社５、及び、エネルギー管理用サーバ１と分散化電源設備（ＧＳ１，ＧＳ２，・・・，ＧＳｎ）と電力会社の電力系統３を統括するコンピュータと燃料会社４のコンピュータとメンテナンス会社５のコンピュータとを結ぶ通信ネットワーク６により構成される。
【００１２】
ここで、仮想電力系統２とは、分散化電源設備（ＧＳ１，ＧＳ２，・・・，ＧＳｎ）及び需要家２２とを通信ネットワーク６で結び、エネルギー管理用サーバ１が通信ネットワーク６を介して各々の発電量、及び電力消費量等のデータを収集し処理することで、これらの分散化電源設備（ＧＳ１，ＧＳ２，・・・，ＧＳｎ）及び需要家２２があたかも１つの電力母線で相互に接続され、その上で電力会社の電力系統と一箇所で連係されているかのように取り扱うことが出来るようにした仮想的な電力系統をいう。
【００１３】
つまり、電力会社の電力系統には図２に示すように、電力会社が所有する発電所と、本実施の形態におけるエネルギー管理システムと契約関係がない分散化電源設備〔これらを電力会社の発電所等（ＧＰ１，ＧＰ２，・・・ＧＰｍ）と称する〕と、エネルギー管理システムの統括者との間で、エネルギー管理用サーバ１の管理に服すとの契約関係にある分散化電源設備（ＧＳ１，ＧＳ２，・・・，ＧＳｎ）とが混在している。
【００１４】
さらに、図示されてはいないが、電力会社の電力系統には、本実施の形態におけるエネルギー管理システムの統括者と契約関係にない需要家と、エネルギー管理システムの統括者との間で分散化電源設備（ＧＳ１，ＧＳ２，・・・，ＧＳｎ）から電源供給を受けるとの契約関係にある需要家２２とが接続されている。
【００１５】
かかる電力会社の電力系統において、エネルギー管理システムの統括者と契約関係にある分散化電源設備（ＧＳ１，ＧＳ２，・・・，ＧＳｎ）及び需要家２２は、１つの敷地あるいは建物内に密集しているわけではなく、電力会社の電力会社の発電所等（ＧＰ１，ＧＰ２，・・・ＧＰｍ）の間に紛れて散在している。したがって、これらの分散化電源設備（ＧＳ１，ＧＳ２，・・・，ＧＳｎ）及び需要家２２間を独立した電力母線で接続し、その上で電力会社の電力系統と連係することは現実的ではない。
【００１６】
そこで、各々の場所で個別に電力会社の電力系統と接続されたこれらの分散化電源設備（ＧＳ１，ＧＳ２，・・・，ＧＳｎ）及び需要家２２を通信ネットワーク６で接続し、通信ネットワーク６を介して各々の発電量、及び電力消費量等のデータを一箇所に集中させ、このデータに基づき電力会社と電力の需給契約を結べば、電力会社との関係においてこれら分散化電源設備（ＧＳ１，ＧＳ２，・・・，ＧＳｎ）及び需要家２２をまとめて１つの電源あるいは電力消費源と見なす取り扱いが可能となる。
【００１７】
すなわち、実際には電力会社の電力系統内に散在し、各々の場所で電力系統と個別に接続されたこれらの分散化電源設備（ＧＳ１，ＧＳ２，・・・，ＧＳｎ）及び需要家２２が、あたかも１つの敷地内に密接して設置され、相互に１つの独立した電力母線で接続され、その上で電力会社の電力系統３と一箇所で連係されているかのように取り扱うことが出来る。
【００１８】
このような取り扱いを可能とした仮想的な電力系統を、ここで仮想電力系統２と呼ぶこととしたものである。
【００１９】
なお、ここでの分散化電源設備（ＧＳ１，ＧＳ２，・・・，ＧＳｎ）は、ガスエンジン、マイクロガスタービンなど発電のため燃料を使用しかつ一定のメンテナンスの必要な発電設備をいい、太陽光発電や風力発電等燃料を必要としない発電設備は含まないものとする。
【００２０】
エネルギー管理用サーバ１は、分散化電源設備（ＧＳ１，ＧＳ２，・・・，ＧＳｎ）に通信ネットワーク６を介して指令を出し、通信ネットワーク６に接続された分散化電源設備（ＧＳ１，ＧＳ２，・・・，ＧＳｎ）及び需要家２２を１つの電力系統とみなし、この電力系統内における分散化電源の全体的なエネルギー変換効率が最大となるような発電負荷配分で分散化電源設備（ＧＳ１，ＧＳ２，・・・，ＧＳｎ）の各発電電力量を制御する。
【００２１】
また、通信ネットワーク６に接続された分散化電源設備（ＧＳ１，ＧＳ２，・・・，ＧＳｎ）はエネルギー管理用サーバ１の管理に服すとの契約をエネルギー管理システムの統括者との間で結んでいる。同様に、需要家２２は分散化電源設備（ＧＳ１，ＧＳ２，・・・，ＧＳｎ）から電源供給を受けるとの契約をエネルギー管理システムの統括者との間で結んでいる。
【００２２】
さらに、仮想電力系統２は、電力会社の電力系統３内に組み込まれているので、電力会社からの指令に従う必要がある。かかる指令は、電力会社の電力系統３を統括するコンピュータから通信ネットワーク６を介してエネルギー管理用サーバ１に送信される。エネルギー管理用サーバ１は、かかる指令に従い、電力会社の電力系統３が許容する範囲内で、仮想電力系統２から電力会社の電力系統３へ電力を供給したり、電力会社の電力系統３から電力の供給を受けるよう、通信ネットワーク６を介して分散化電源設備（ＧＳ１，ＧＳ２，・・・，ＧＳｎ）に電力の増減指令を与える。
【００２３】
また、燃料会社４のコンピュータからは、各分散化電源設備（ＧＳ１，ＧＳ２，・・・，ＧＳｎ）に供給した燃料量が、メンテナンス会社５のコンピュータからは各分散化電源設備（ＧＳ１，ＧＳ２，・・・，ＧＳｎ）におけるメンテナンスに掛かった費用が通信ネットワーク６を介してエネルギー管理用サーバ１に送信される。エネルギー管理用サーバ１はこれらの燃料費及びメンテナンス費用を燃料会社４及びメンテナンス会社５に対して通信ネットワーク６を介して一括して決済する。
【００２４】
エネルギー管理用サーバ１は、分散化電源設備（ＧＳ１，ＧＳ２，・・・，ＧＳｎ）に供給した燃料量、メンテナンスに要した費用、及び発電実績から、各分散化電源設備（ＧＳ１，ＧＳ２，・・・，ＧＳｎ）の発電単価を算定することができる。算定された発電単価は、各分散化電源設備（ＧＳ１，ＧＳ２，・・・，ＧＳｎ）の所有者に通知される。
【００２５】
次に、本実施の形態におけるエネルギー管理システムの運用について説明する。
【００２６】
前述の通り、エネルギー管理用サーバ１は仮想電力系統２を電力会社の電力系統３との関係においては、あたかも１つの電力源あるいは電力消費源として扱い、仮想電力系統２の内部においては、各分散化電源設備（ＧＳ１，ＧＳ２，・・・，ＧＳｎ）に対する給電司令所としての働きをする。
【００２７】
したがって、仮想電力系統２が電力会社の電力系統３に対して売買電したことによる電力料金の決済はエネルギー管理システムの統括者と電力会社との間で一括して決済される。一方、個々の分散化電源設備（ＧＳ１，ＧＳ２，・・・，ＧＳｎ）から仮想電力系統２に供給された電力、あるいは需要家２２にて消費された電力に対する料金の精算は、個別にそれぞれの分散化電源設備（ＧＳ１，ＧＳ２，・・・，ＧＳｎ）の所有者及び需要家２２とエネルギー管理システムの統括者との間で行われる。
【００２８】
仮想電力系統２から電力会社に売買電するときの売電単価及び買電単価は電力会社との間であらかじめ定めておく。また、各分散化電源設備（ＧＳ１，ＧＳ２，・・・，ＧＳｎ）から仮想電力系統２へ電力を供給するときの売電単価は、エネルギー管理用サーバ１が燃料消費量やメンテナンス費用からそれぞれ算定した発電単価に基づき各々個別に定め、あらかじめエネルギー管理用サーバ１に登録しておく。さらに、仮想電力系統２における需要家２２が消費する電力の単価は各分散化電源設備（ＧＳ１，ＧＳ２，・・・，ＧＳｎ）の発電単価や電力会社の電力料金等を総合的に考慮して一律に定めておく。
【００２９】
一般的には、各分散化電源設備（ＧＳ１，ＧＳ２，・・・，ＧＳｎ）から仮想電力系統２へ電力を供給する場合において、相対的にエネルギー変換効率が高い設備を持つ分散化電源からの売電単価は安く、エネルギー変換効率が低い設備を持つ分散化電源からの売電単価は高くなる。とはいうものの、分散化電源からの売電単価は電力会社からの買電単価より高くなることはない。さらに、需要家２２が消費する電力の単価も電力会社からの買電単価より安く定めるられる。
【００３０】
マイクロガスタービンなどの分散化電源設備（ＧＳ１，ＧＳ２，・・・，ＧＳｎ）は、廃熱も利用するので、総合的なエネルギー変換効率は電力会社の発電所のエネルギー変換効率よりも高く、したがって、発電単価も電力会社の発電所の発電単価より理論的に安くなるからである。
【００３１】
続いて、仮想電力系統２の内部で消費する電力が分散化電源設備（ＧＳ１，ＧＳ２，・・・，ＧＳｎ）の発電能力の総計を上回る場合と、仮想電力系統２の内部で消費する電力が分散化電源設備（ＧＳ１，ＧＳ２，・・・，ＧＳｎ）の発電能力の総計より小さく、発電した電力の一部を電力会社の電力系統３に売電する場合とに分けてエネルギー管理用サーバ１の各分散化電源設備（ＧＳ１，ＧＳ２，・・・，ＧＳｎ）に対する制御動作について説明する。
【００３２】
なお、分散化電源設備（ＧＳ１，ＧＳ２，・・・，ＧＳｎ）が発電した電力の一部を電力会社の電力系統３に売電する場合は、さらに、電力会社側から売電電力に対する制限がある場合とない場合とに場合分けできる。
【００３３】
（１）仮想電力系統２の内部で消費する電力が分散化電源設備（ＧＳ１，ＧＳ２，・・・，ＧＳｎ）の発電能力の総計を上回る場合
この場合は、エネルギー管理用サーバ１は、通信ネットワーク６を介して全ての分散化電源設備（ＧＳ１，ＧＳ２，・・・，ＧＳｎ）が最大出力になるよう制御する。ただし、各設備の個別具体的な事情で、例えば廃熱の利用形態との関係で、発電設備の廃熱を十分利用することが出来ず系外に熱を捨てなければならない場合など、ある発電出力以上になるとエネルギー変換効率が下がり、かえって売電単価が高くなる場合等は、その設備に対しては、電力会社からの買電単価以上にならない程度の発電出力になるよう制御する。さらに、電力会社と安価な夜間電力料金の設定をしている場合は、夜間電力料金に対しても、コスト的に見合う設備に対してのみ発電指令を出す。
【００３４】
（２）発電した電力の一部を電力会社の電力系統３に売電する場合
この場合において、電力会社側から売電電力に対する制限がない場合は、エネルギー管理用サーバ１は、通信ネットワーク６を介して全ての分散化電源設備（ＧＳ１，ＧＳ２，・・・，ＧＳｎ）が最大出力になるよう制御する。ただし、各設備の個別具体的な事情で、ある発電出力以上になるとかえって売電単価が高くなる場合等は、その設備に対しては、売電単価が安く維持できる最大発電出力、言い換えれば最もエネルギー変換効率の高い運転が出来る出力、になるよう制御する。さらに、電力会社と安価な夜間電力料金の設定をしている場合は、夜間電力料金に対しても、コスト的に見合う設備に対してのみ発電指令を出す。この場合は、結果的に電力会社から買電することとなってもかまわない。
【００３５】
一方、仮想電力系統２から電力会社への売電電力に対して制限がある場合は、電力会社からの給電指令に従うことになる。電力会社からの給電指令に従い、仮想電力系統２から電力会社への売電電力を増加する場合は、仮想電力系統２に対する売電単価の安い順に分散化電源設備（ＧＳ１，ＧＳ２，・・・，ＧＳｎ）の出力を増加する。例えば分散化電源設備ＧＳ１が最も売電単価が安く、その次に安いのが分散化電源設備ＧＳ２、続いて分散化電源設備ＧＳ３、さらにＧＳ４，ＧＳ５，・・・，ＧＳｎと続くときは、まず分散化電源設備ＧＳ１の出力を１００％迄増加させ、続いて分散化電源設備ＧＳ２を出力を１００％迄増加させ、次いでＧＳ３、さらにＧＳ４，ＧＳ５，・・・というように増加させてゆく。
【００３６】
電力会社からの給電指令に従って、仮想電力系統２から電力会社への売電電力を減少させる場合は、逆に、仮想電力系統２に対する売電単価の高い順に分散化電源設備（ＧＳ１，ＧＳ２，・・・，ＧＳｎ）の出力を減少させる。
【００３７】
上述のように仮想電力系統２に対する売電単価の安い順に発電出力を増加させ、売電単価の高い順に発電出力を減少させるような運転を行うことにより、仮想電力系統２を１つの発電設備と見たとき、最小の発電コストで要求された電力を電力会社の電力系統に売電することが出来る。
【００３８】
さらに、各分散化電源設備（ＧＳ１，ＧＳ２，・・・，ＧＳｎ）の仮想電力系統２に対する売電単価は、エネルギー変換効率とリンクしているので、このような運転を行うことにより、仮想電力系統２内の分散化電源設備（ＧＳ１，ＧＳ２，・・・，ＧＳｎ）を全体的な観点で見たとき、与えられた条件の下で最もエネルギー変換効率の高い発電負荷配分で運転されることとなる。
【００３９】
仮想電力系統２と電力会社の電力系統３との間で授受された電力についての料金精算はエネルギー管理用サーバ１と電力会社の電力系統３を統括するコンピュータとの間で、通信ネットワーク６を介して一括して電子的に精算される。
【００４０】
このように、エネルギー管理用サーバ１が一括して電力会社との料金精算を行うので、電力会社にとって各分散化電源設備（ＧＳ１，ＧＳ２，・・・，ＧＳｎ）の所有者や需要家２２と個別に精算を行う必要がなく省力化が図れる。
【００４１】
また、各分散化電源設備（ＧＳ１，ＧＳ２，・・・，ＧＳｎ）で消費された燃料費及びメンテナンスに掛かった費用は、エネルギー管理用サーバ１と燃料会社４のコンピュータ及びメンテナンス会社５のコンピュータとの間で、通信ネットワーク６を介して一括して電子的に精算される。
【００４２】
したがって、燃料会社４やメンテナンス会社５にとって各分散化電源設備（ＧＳ１，ＧＳ２，・・・，ＧＳｎ）の所有者と個別に料金精算を行う必要がなく省力化が図れる。また、燃料会社４やメンテナンス会社５と一括して価格交渉が可能となるので、各分散化電源設備（ＧＳ１，ＧＳ２，・・・，ＧＳｎ）が個別に価格交渉を行った場合に比べて安価に燃料等の入手が可能となり、発電単価の引き下げにつながる。
【００４３】
このように、本実施の形態におけるエネルギー管理システムによれば、通信ネットワーク６に接続された分散化電源（ＧＳ１，ＧＳ２，・・・，ＧＳｎ）及び需要家２２を１つの電力系統とみなし、この電力系統内における分散化電源（ＧＳ１，ＧＳ２，・・・，ＧＳｎ）の全体的なエネルギー変換効率が最大となるような発電負荷配分で各発電電力量を制御するので、電力系統全体としてエネルギーの変換効率を向上させることが出来る。
【００４４】
また、エネルギー管理用サーバ１は、各分散化電源設備（ＧＳ１，ＧＳ２，・・・，ＧＳｎ）に供給した燃料の費用、メンテナンス費用及び運転実績から各分散化電源設備（ＧＳ１，ＧＳ２，・・・，ＧＳｎ）の発電単価を算定し各分散化電源設備（ＧＳ１，ＧＳ２，・・・，ＧＳｎ）の所有者に通知するので、所有者は通知された発電単価を設備運用の指標とすることが出来る。
【００４５】
さらに、エネルギー管理用サーバ１は、電力会社、燃料会社４及びメンテナンス会社５と一括して料金精算を行うので、各分散化電源設備（ＧＳ１，ＧＳ２，・・・，ＧＳｎ）の所有者、電力会社、燃料会社４及びメンテナンス会社５のいずれにとっても、省力化のメリットがでる。また、一括ネゴによるコストダウンも期待できる。
【００４６】
なお、本実施の形態において、仮想電力系統２には需要家２２も含まれることとしたが、需要家２２を含まず分散化電源設備（ＧＳ１，ＧＳ２，・・・，ＧＳｎ）だけで仮想電力系統２を構成するような実施の形態も可能である。
【００４７】
【発明の効果】
上記のように、本発明に係るエネルギー管理システム及びエネルギー管理用サーバによれば、電力会社の電力系統内に散在する分散化電源を通信ネットワークを介して接続し、通信ネットワークに接続された分散化電源を１つの電力系統とみなして、当該電力系統内における分散化電源の全体的なエネルギー変換効率が最大となるような発電負荷配分で分散化電源の各発電電力量を制御するので、電力系統全体としてエネルギーの変換効率を向上させることが出来る。
【図面の簡単な説明】
【図１】本発明に係るエネルギー管理システムの一実施の形態における構成図である。
【図２】電力会社の電力系統における分散化電源の配置を模式的に示した図である。
【符号の説明】
１  エネルギー管理用サーバ
２  仮想電力系統
３  電力会社の電力系統
４  燃料会社
５  メンテナンス会社
６  通信ネットワーク
２２  需要家
【図１】
2004222470.tif 000003
【図２】
2004222470.tif 000004